(57)【特許請求の範囲】
【請求項１】
水（Ｗ０）を流通させる導水管（１）内に、上流側から見て凹球面状のネット（２，２Ａ，２Ｂ）を設置し、
該ネット（２，２Ａ，２Ｂ）の上流側近傍位置に、水とともに異物（Ａ）を導入排除し得る洗浄管（３）を設置し、
該洗浄管（３）は、前記ネット（２，２Ａ，２Ｂ）の凹球面（２１）の曲率半径（Ｒ）の中心位置（Ｐ）において球形軸受（４）で軸支して、該洗浄管（３）の先端開口（３０）が前記球形軸受（４）を中心にして上下及び左右に移動自在となるようにする一方、
前記洗浄管（３）の先端開口（３０）を前記ネット凹球面（２１）に対して微小間隔を隔てて近接させるとともに、
前記洗浄管（３）を上下方向に揺動させる上下駆動装置（６）と、前記洗浄管（３）を左右方向に揺動させる左右駆動装置（７）とを備えた、
ことを特徴とする導水管内の異物除去装置。
【請求項２】
請求項１において、ネットは導水管（１）内の口径方向断面積の一部を割徐した面積の円割形ネット（２Ｂ）とし、前記導水管（１）内における前記円割形ネット設置位置より上流側に所定小間隔を隔てた位置で且つ該円割形ネット設置位置とは径方向反対側の導水管内面に邪魔板（９）を設置したことを特徴とする導水管内の異物除去装置。
【発明の詳細な説明】
【０００１】
【発明の属する技術分野】
【０００２】
本願発明は、例えば原子力発電所や火力発電所等において、海水や池水あるいは河川の水等を利用する場合の、導水管内の異物除去方法及びその装置に関するものである。
【従来の技術】
【０００３】
例えば火力発電においては、図７に示すように給水管１１から供給される水をボイラ１０で加熱し、そこで発生する高温高圧の水蒸気を蒸気管１２を通して発電用の蒸気タービン１３に供給し、該水蒸気で蒸気タービン１３を駆動する。そして、その後、復水器（コンデンサ）１４で水蒸気を冷却して液化させ、その復水を給水管１１を通して再びボイラ１０に戻し、順次循環させるようになっている。尚、復水器１４内には多数の細管１５を有し、該各細管１５内に冷却水を流通させることで水蒸気の冷却効率を高めるようにしている。
【０００４】
他方、復水器１４には、蒸気タービン１３を駆動させた水蒸気を復水させるために多量の冷却水を必要としているが、該冷却水は量の確保の観点から海水Ｗ０を利用するのが一般的である。そして、図７に示すように、該海水Ｗ０をポンプ１６で汲み上げ、導水管１を通して復水器１４内の細管１５中を流通させるようにしている。
【０００５】
又、海水Ｗ０中には、ビニール片、カキなどの貝類、藻、その他種々の異物が浮遊しているが、汲上管１７の取水口に除塵スクリーン１８を設けて、予め大きい異物をそこで除去するようにしている。尚、除塵スクリーン１８の目幅を小さくすると、小さい異物まで除去できるが、目詰まりし易く且つ異物の掃除が面倒であることから、該スクリーン目幅をあまり小さくできないのが現状である。従って、導水管１内には、除塵スクリーン１８を通過した小径（又は細長）の異物混じりの冷却水Ｗ０が導入される。尚、貝類は、除塵スクリーン１８を通過した後、導水管１の内面に付着してそこで成長することがあり、その貝殻が導水管内面から剥がれると、復水器１４側に流されることがある。
【０００６】
ところで、異物混じりの冷却水Ｗ０がそのまま復水器１４の細管１５に供給されると、該異物が細管１５を塞いでトラブルの原因となる。これを防止するために、マッセルフィルタや逆洗弁、その他種々のフィルタが開発・実用化されているが、設置スペース、価格、逆洗流速不足、逆洗時に冷却水の流れを止める必要がある、等の問題がある。
【０００７】
又、従来から、図８に示すような導水管内の異物除去装置が知られている（特公昭６０−５８３８号公報）。この図８に示す異物除去装置は、図７の符号Ｙで示すように導水管１の適所に設けられている。そして、この異物除去装置は、導水管１内における流水方向Ｖに小間隔を隔てて２枚の半円形ネット２Ａ，２Ｂを設置している。この各半円形ネットは、上流側半円形ネット２Ａが上側で下流側半円形ネット２Ｂが下側に位置し、さらに各半円形ネット２Ａ，２Ｂはそれぞれ下流側に向けて下降傾斜させている。尚、この各半円形ネット２Ａ，２Ｂの目幅は、復水器１４の細管１５の口径より小さくしている。又、導水管１内における半円形ネット設置位置を挟んでその上流側と下流側にそれぞれ連通管８１，８２を接続し、該各連通管８１，８２内の圧力差を差圧計８で検出し得るようにしている。この差圧計８は、一定圧力差を検出すると、警報装置を作動させるようになっている。下流側半円形ネット２Ｂの上流側付け根には、導水管１を貫通する異物排出管８６が下向きに設置されている。この異物排出管８６は、バルブ８７で開閉される。
【０００８】
そして、図８に示す従来の異物除去装置では、導水管１内を異物Ａ混じりの海水Ｗ０が流れると、水Ｗだけが上流側半円形ネット２Ａ及び下流側半円形ネット２Ｂの各網目を通過し、網目より大きい異物Ａは、該両半円形ネット２Ａ，２Ｂの各前面で捕獲されるようになる。そして、両半円形ネット２Ａ，２Ｂの各前面に異物Ａが付着すると、水の流通抵抗が大きくなって、前後の連通管８１，８２内の圧力差が大きくなり、該圧力差が設定圧力に達すると、それを差圧計８が検出して警報装置を作動させ、両半円形ネット２Ａ，２Ｂの目詰まりを報知する。そして、両半円形ネット２Ａ，２Ｂの各前面の付着異物Ａを排出するには、図７の弁８８を一旦閉止して導水管１内の流れを止めた後、バルブ８７を開けば、該付着異物Ａが海水とともに異物排出管８６を通して排出される。
【発明が解決しようとする課題】
【０００９】
ところが、図８に示す従来の異物除去装置では、ネット（上流側及び下流側の各半円形ネット２Ａ，２Ｂ）の前面に付着した異物Ａを除去するのに、警報が発せられた後、導水管１内の冷却水Ｗ０の流れを停止させ、バルブ８７を開放させて異物を排除し、バルブ８７を閉じ、冷却水の流通を再開させる、という作業を行う必要がある。従って、その異物除去作業に時間がかかるとともに、各半円形ネット２Ａ，２Ｂを通過する逆洗流速が小さいために十分な洗浄効果が得られないという欠点がある。又、異物除去作業時には、導水管１内の冷却水の流れを一時的に止める必要があることから、その間は蒸気タービン１３の運転にも少なからず影響を及ぼし、発電所の稼働率が低下するという問題もあった。
【００１０】
本願発明は、上記した従来の異物除去装置の問題点に鑑み、導水管内に異物捕獲用のネットを設けた異物除去装置において、導水管内の冷却水の流れを止めることなく、該ネット前面の異物を除去し得るようにした導水管内の異物除去装置を提供することを目的としている。
【課題を解決するための手段】
【００１１】
本願発明は、上記課題を解決するための手段として次の構成を有している。
本願請求項１の発明
本願請求項１の発明は、例えば火力発電所の復水器を冷却するのに使用される冷却水供給用の導水管内において、ビニール片、藻、貝類等の異物を除去するための導水管内の異物除去装置を対象にしている。
【００１２】
そして、この請求項１の異物除去装置は、水を流通させる導水管内に、上流側から見て凹球面状のネットを設置している。この請求項１の発明では、ネットとして、導水管内の口径方向断面積の全面積を遮蔽する１枚ものでも、該口径方向断面積の一部を削除した面積の円割形ネットでもよい。尚、上記円割形ネットを使用する場合は、導水管内の口径方向断面積に対して１／４〜３／４程度の範囲の面積のものが採用可能である。又、上記円割形ネットを使用する場合は、１枚のみを導水管内の下半部に設置したものでも、２枚を導水管内の上半部と下半部に小間隔を隔てて設置したものでもよい。
【００１３】
前記ネットの上流側近傍位置には、水とともに異物を導入排除し得る洗浄管を設置している。この洗浄管は、ネットの凹球面の曲率半径の中心位置において球形軸受で軸支して、該洗浄管の先端開口が球形軸受を中心にして上下及び左右に移動自在となるようにしている。又、洗浄管の先端開口は、ネット凹球面に対して微小間隔を隔てて近接させている。尚、上記微小間隔は、捕獲される異物の種類、大きさ等から、経験上１０〜５０mm程度に設定すれば好結果が得られる。この洗浄管による異物の導入方法は、ネットの上流側面近傍の圧力（高圧力）と洗浄管内の圧力（低圧力）との差を利用してもよく、あるいは洗浄管内をポンプで強制吸引させるようにしてもよい。尚、洗浄管には排水管が接続されており、該洗浄管内に導入された異物混じりの水は、排水管を通して外部に排出される。
【００１４】
又、この異物除去装置には、洗浄管を上下方向に揺動させる上下駆動装置と、洗浄管を左右方向に揺動させる左右駆動装置とを備えている。この上下駆動装置及び左右駆動装置は、洗浄管をそれぞれ上下方向あるいは左右方向に揺動させ得るものであれば、適宜の形式のものを採用できる。
【００１５】
この請求項１の異物除去装置では、上下駆動装置及び左右駆動装置によって洗浄管を上下及び左右に揺動させることにより、洗浄管の先端開口をネットの凹球面の全面に亘って走査させることができる。又、この異物除去装置において、ネットとして導水管の口径方向断面積の全面積を遮蔽し得る１枚ものを使用すると、異物の捕獲能力が良好である。又、該ネットとして上記円割形ネットを使用すると、導水管内の通路面積中に無ネット部分が生じて、異物捕獲能力がやや劣るが、もし何らかの理由でネット前面に付着した異物を洗浄管で除去できないトラブルが発生しても、導水管内のネット上流側の圧力が許容範囲を超えて昇圧することがない。
本願請求項２の発明
本願請求項２の発明は、上記請求項１の異物除去装置において、ネットは導水管内の口径方向断面積の一部を割徐した面積の円割形ネットとしている。又、導水管内における円割形ネット設置位置より上流側に所定小間隔を隔てた位置で且つ円割形ネット設置位置とは反対側の導水管内面に邪魔板を設置している。この場合、円割形ネット（１枚）は、導水管内の下半部に設置することが好ましく、従って邪魔板は導水管内の上部側に設置するとよい。
【００１６】
この請求項２の異物除去装置では、導水管内の円割形ネットに対応する側（下半部側）を流れる異物混じりの水は、そのまま直進して該円割形ネットに衝突しそのとき異物がネットの網目で捕獲される。他方、導水管内の反円割形ネット側（上半部側）を流れる異物混じりの水は、まず邪魔板に衝突して流れが円割形ネット側に変向せしめられた後、該円割形ネットの網目を通過するようになる。従って、円割形ネットを１枚だけ使用したもの（導水管内に無ネット部分がある）であっても、該円割形ネットで効率よく異物を捕獲できる。
【発明の実施の形態】
【００１７】
以下、図１〜図６を参照して本願の実施形態を説明すると、図１〜図３には本願第１実施形態、図４〜図６にはそれぞれ本願第２〜第４実施形態が示されている。これらの実施形態の異物除去装置は、例えば図７に示すような火力発電用の復水器１４に冷却水を供給するための導水管１に設置されるものである。
【００１８】
尚、従来技術の項で説明したものと重複するが、例えば火力発電においては、図７に示すようにボイラ１０で加熱した高温高圧の水蒸気を発電用の蒸気タービン１３に供給し、該水蒸気で蒸気タービン１３を駆動した後、復水器（コンデンサ）１４で水蒸気を冷却して液化させ、その復水をボイラ１０に戻し、順次循環させる。尚、復水器１４内には多数の細管１５を有している。
【００１９】
他方、復水器１４内を冷却するためには、大量の冷却水を確保する必要であり、該冷却水として一般に海水が利用されている。尚、冷却水として、池水や河川水を利用する場合もあるが、以下の説明では海水を利用した場合で説明する。
【００２０】
火力発電所においては、図７に示すように海水Ｗ０をポンプ１６で汲み上げ、導水管１を通して復水器１４内の細管１５中を流通させることで復水器１４内を冷却する。尚、導水管１の太さは、用途・規模によって異なるが、図示例では１８００mm程度の内径のものを想定している。
【００２１】
ところで、海水Ｗ０中には、ビニール片、カキなどの貝類、藻、その他種々の異物が浮遊しており、取水口に除塵スクリーン１８を設けているものの、小径（又は細長）の異物まで阻止し得るものではない。従って、導水管１内には、除塵スクリーン１８を通過した小径（又は細長）の異物混じりの冷却水Ｗ０が導入される。
【００２２】
そして、本願実施形態の異物除去装置は、異物混じりの冷却水Ｗ０中から、異物Ａを除去するためのものである。
【００２３】
図１〜図３に示す第１実施形態の異物除去装置は、図７において符号Ｙで示すように、導水管１における復水器１４の直前位置に設置される。そして、この第１実施形態の異物除去装置は、導水管１の横向き管部内における流水方向Ｖに小間隔Ｌを隔てた位置に前後２枚の円割形ネット２Ａ，２Ｂを設置し、該各円割形ネット２Ａ，２Ｂの上流側近傍位置にそれぞれ洗浄管３，３を配置するとともに、該各洗浄管３，３を上下に揺動させる上下駆動装置６，６と、該各洗浄管３，３を左右に揺動させる左右駆動装置７，７とを有している。尚、第１実施形態の異物除去装置では、円割形ネット（２Ａ又は２Ｂ）と洗浄管３と上下駆動装置６と左右駆動装置７とを１セットにした同構造のものを、導水管１の上下２箇所において相互に上下逆向きに取付けて構成されている。又、導水管１、各円割形ネット２Ａ，２Ｂ、洗浄管３等は、海水Ｗ０に接触するので、耐腐食性のある材料で形成されていることは勿論である。
【００２４】
各円割形ネット２Ａ，２Ｂは、導水管１内の口径方向断面積の一部を割徐したものである。この各円割形ネット２Ａ，２Ｂの面積は、例えば導水管１内の口径方向断面積の１／４〜３／４程度の範囲のものが採用可能であるが、この第１実施形態では、該各円割形ネット２Ａ，２Ｂとして、それぞれ導水管１の口径方向断面積の１／２強の面積の半円形ネットを採用している。
【００２５】
この各円割形ネット２Ａ，２Ｂの目幅は、復水器１４内の細管１５の内径より小さくされている。又、上流側円割形ネット２Ａは、導水管１内の下方が開放する状態で管内面に取付けられており、他方、下流側円割形ネット２Ｂは、導水管１内の上方が開放する状態で管内面に取付けられている。尚、各円割形ネット２Ａ，２Ｂの開放側端部２２は、導水管１の中心高さＨを若干高さＴづつ超えるような大きさとされている。
【００２６】
各円割形ネット２Ａ，２Ｂは、上流側から見て凹球面状となる形状に成形されている。尚、この実施形態では、各円割形ネット２Ａ，２Ｂの凹球面２１の曲率半径Ｒは、導水管１の口径とほぼ同じ約１８００mm程度かそれより少し大きい寸法とすることが構造上好ましい。
【００２７】
又、各円割形ネット２Ａ，２Ｂは、図１に示すようにその各凹球面２１の曲率中心Ｐがそれぞれ導水管１の外面近傍に位置するようにして取付けられている。従って、上流側円割形ネット２Ａは、下端側が垂直面より上流側に向けて若干下降傾斜し、他方、下流側円割形ネット２Ｂは、上端側が垂直面より上流側に向けて若干上昇傾斜している。尚、この各円割形ネット２Ａ，２Ｂは、図示しない適宜の補強部材で強固に取付けている。
【００２８】
導水管１には、各円割形ネット２Ａ，２Ｂの前面（上流側）が見える位置に覗き窓（図示省略）を設けておくと、該各円割形ネット２Ａ，２Ｂによる異物捕獲状態を外部から目視できる。
【００２９】
各洗浄管３，３は、例えば口径が１５０mm程度の耐腐食性管をＬ型に屈曲させたものを使用している。この各洗浄管３，３は、上記各円割形ネット２Ａ，２Ｂの凹球面２１の曲率中心Ｐと同位置において、それぞれ球形軸受４，４で軸支している。又、各洗浄管３，３の先端開口３０は、各円割形ネット２Ａ，２Ｂの凹球面２１に微小間隔（例えば１０〜５０mm程度）を隔てて近接させている。従って、この各洗浄管３，３は、該球形軸受４部分で上下・左右に揺動自在となっており、その揺動時に先端開口３０がネット凹球面２１に対して微小等間隔をもって移動するようになっている。又、洗浄管３の先端開口３０の外周部には、フランジ状の突起３０ａを設けている。この突起３０ａは、洗浄管先端部付近を流れる冷却水Ｗ０に渦を発生させる作用をする。
【００３０】
各洗浄管３，３は、それぞれ上下駆動装置６と左右駆動装置７とによって上下及び左右に揺動せしめられる。各上下駆動装置６及び各左右駆動装置７は、図示例では、それぞれモータ６１（又は７１）によって伸縮せしめられるシリンダ６２（又は７２）で構成されている。
【００３１】
この上下駆動装置６及び左右駆動装置７は、次のようにして洗浄管３に連結されている。即ち、各洗浄管３，３における導水管外に露出している部分には、それぞれ保持台５と連結具７３が取付けられている。保持台５は、図３に示すように、導水管直径方向に対置された各側壁５３，５３の下部寄り位置を導水管１に固定されたブラケット５１にそれぞれピン５２，５２で軸支している。この各ピン５２，５２は、球形軸受４の中心Ｐと同心状に位置しており、該保持台５及び洗浄管３が導水管１の長手方向鉛直面で揺動し得るようになっている。洗浄管３の上端部は、保持台５に対して回転継手３１を介して水平面内で回動自在となっている。又、連結具７３は、洗浄管３における導水管１より外側の露出部に固定されている。そして、上下駆動装置６は、図１及び図２に示すように、導水管１の長さ方向に向けた状態で該導水管１の外面に支持され、且つそのシリンダ６２のロッド先端を保持台５の上部寄り位置に連結している。他方、左右駆動装置７は、導水管１の直径方向に向けた状態で保持台５に支持され、且つそのシリンダ７２のロッド先端を連結具７３に連結している。
【００３２】
従って、上下駆動装置６のシリンダ６２を縮小させる（モータ６１を正逆何れかに作動させる）と、球形軸受４及び各ピン５２，５２を軸心にして洗浄管３が図１の符号３Ａで示すように下動して、洗浄管先端開口３０を上流側円割形ネット２Ａの下端２２付近まで移動させる。逆に、該上下駆動装置６のシリンダ６２を伸長させると、洗浄管３が符号３Ｂで示すように上動して、洗浄管先端開口３０を上流側円割形ネット２Ａの上端付近まで移動させ得るようになっている。又、左右駆動装置７のシリンダ７２を縮小させる（モータ７１を正逆何れかに作動させる）と、球形軸受４及び回転継手３１を軸心にして洗浄管３が図２の符号３Ｃで示すように上流側から見て右動して、洗浄管先端開口３０を上流側円割形ネット２Ａの右端付近まで移動させる。逆に、該左右駆動装置７のシリンダ７２を伸長させると、洗浄管３が符号３Ｄで示すように左動して、洗浄管先端開口３０が上流側円割形ネット２Ａの左端付近まで移動させ得るようになっている。
【００３３】
上下駆動装置６及び左右駆動装置７による洗浄管先端開口３０の移動軌跡は、例えば図３に示すように符号３０Ａの位置から符号３０Ｂの位置まで順次ジグザグに移動するようにコントローラにプログラム設定している。
【００３４】
各洗浄管３，３の露出側端部には、それぞれ中継管３２の一端部が接続されている。又、図３に示すように各中継管３２の他端部には、回転継手３３を介して排水管３４が接続されている。尚、中継管３２他端側の回転継手３３は、上記保持台５を軸支している各ピン５２，５２と同心状にしており、保持台５が前後に揺動したときに中継管３２も前後に揺動し得るようにしている。又、この第１実施形態では、図２に示すように、各側の排水管３４，３４は、１本に合流させて、その合流排水管３５にバルブ（電動バルブ）３６を取付けている。
【００３５】
導水管１には、両円割形ネット２Ａ，２Ｂの設置位置を挟んでその上流側と下流側にそれぞれ連通管８１，８２を接続しており、該各連通管８１，８２内の圧力差を差圧計８で検出し得るようにしている。この差圧計８は、一定圧力差を検出すると、上記電動バルブ３６を開放させる信号と、各上下駆動装置６，６及び各左右駆動装置７，７の各モータ６１，７１を作動させる信号と、必要に応じて警報装置（ブザー又は回転灯など）を作動させる信号とを発するようになっている。又、差圧計８が差圧非検出状態では、電動バルブ３６は閉、上下駆動装置６及び左右駆動装置７の各モータ６１，７１はＯＦＦとなっている。尚、他の実施形態では、連通管８１，８２及び差圧計８の信号によらず、この異物除去装置を適宜手動にて運転するようにしてもよい。
【００３６】
次に、図１〜図３に示す第１実施形態の異物除去装置を使用して行う異物除去方法を説明する。汲み上げポンプ１６（図７）を作動させると、導水管１内を冷却水（海水Ｗ０）が流通するが、その冷却水の大部分は、各円割形ネット２Ａ，２Ｂの網目を通過して、濾過された冷却水Ｗが復水器１４側に供給される。そして、その濾過された冷却水Ｗが復水器１４内の細管１５を通って復水器１４内の水蒸気を冷却した後、海に排出される。このとき、各円割形ネット２Ａ，２Ｂがきれいな状態（ネット前面に異物Ａが付着していない状態）では、導水管１内を流通する冷却水（海水Ｗ０）が各ネットの網目をさほど抵抗なく通過するので、該各ネット部分にさほどの流通抵抗が発生せず（導水管１内における異物除去装置の前後には、さほどの圧力差が発生しない）、差圧計８からの信号は発せられない。従って、電動バルブ３６は閉、上下駆動装置６及び左右駆動装置７の各モータ６１，７１はＯＦＦのままである。この状態では、導水管１内の冷却水が洗浄管３を通って外部に排出されることがなく、ポンプ１６で汲み上げた冷却水（海水Ｗ０）の無駄が生じない。
【００３７】
ところで、導水管１内を流通する冷却水（海水Ｗ０）中には、除塵スクリーン１８（図７）で除去できなかった異物Ａが混入しており、その異物Ａが各ネット２Ａ，２Ｂ部分に達すると、そこで阻止されて該ネット前面（凹球面２１）に順次付着するようになる。すると、該付着異物Ａが流通抵抗となって、異物除去装置設置部分の上流側（上流側連通管８１内）と下流側（下流側連通管８２内）での圧力差が大きくなる。そして、その圧力差が差圧計８の設定圧力差に達すると、該差圧計８から信号が発せられて、電動バルブ３６を開放するとともに上下駆動装置６，６及び左右駆動装置７，７を作動させる。この状態では、各円割形ネット２Ａ，２Ｂの上流側近傍が高圧で各洗浄管３，３内が低圧となっているので、その圧力差によって各ネット２Ａ，２Ｂの凹球面２１に付着している異物Ａが水とともに洗浄管３の先端開口３０から該洗浄管３内に自動的に導入される。尚、洗浄管３内に導入された異物混じりの水は、順次中継管３２、排水管３４、３５を通って外部に排出される。又、このとき、上下駆動装置６及び左右駆動装置７が作動していることによって、洗浄管３が設定プログラムに基いて上下、左右に揺動せしめられており、その先端開口３０が図３に示すように符号３０Ａの位置と符号３０Ｂの間をジグザク状に走査する。従って、該洗浄管３により、ネット凹球面２１の全面に亘って異物Ａの清掃作業が行われる。又、このとき、各洗浄管３は、各ネット２Ａ，２Ｂの曲率中心（軸受中心Ｐ）を支点にして揺動するので、洗浄管先端開口３０は、常にネット凹球面２１に対して微小等間隔をもって移動するようになり、該先端開口３０からの異物導入作用がネット全面に亘って均等に行われる。尚、この洗浄管３による清掃作業は、差圧計８からの発信を受けて、洗浄管３の先端開口３０が制御プログラムに従ってネット凹球面を走査完了後、洗浄開始前の初期位置に復帰したのち電動バルブ３６を閉止して終了となるように設定しておくとよい。又、図示例のように、洗浄管３の先端開口３０の外周部にフランジ状の突起３０ａを設けておくと、該先端開口部付近を流れる冷却水Ｗ０に渦流が生じ、ネットに付着している異物をより効果的に洗浄管３内に導入できる。
【００３８】
このように、第１実施形態の異物除去装置では、各ネット２Ａ，２Ｂに異物Ａが付着しても、導水管１内の冷却水流れを停止することなく、該付着異物Ａを清掃できる。又、洗浄管先端開口３０がネット凹球面２１の全面に亘ってしかも該凹球面２１から微小等間隔を隔てた位置を走査するので、少量の排水であっても逆洗流速を十分に確保でき、それによってネットに付着した異物Ａをネット全面に亘って確実且つ効率よく除去できる。
【００３９】
図４〜図６に示す第２〜第４実施形態の異物除去装置は、上記第１実施形態の変形例を示している。
【００４０】
図４の第２実施形態では、図１における上流側の異物除去装置一式（上流側円割形ネット２Ａ、洗浄管３、上下駆動装置６，左右駆動装置７）を省略したものである。この第２実施形態では、導水管１内の上半部を流通する異物はネット２Ｂで除去できないが、該導水管１内の下半部を流通する異物及び貝類のような比重の大きい異物（下半部を流れる）は下半部に設置しているネット２Ｂで確実に捕獲できる。尚、図４には、詳細を図示省略しているが、その他の構成は第１実施形態のものと同様である。
【００４１】
図５の第３実施形態は、本願請求項３に対応するものである。この第３実施形態では、上記図４の異物除去装置において、導水管１内における下部側の円割形ネット２Ｂの設置位置より上流側における、所定小間隔を隔てた位置の上部側の導水管内面に邪魔板９を設置している。この邪魔板９は、所定幅のものを導水管１の内面に沿って円弧状に取付けている。
【００４２】
この第３実施形態の異物除去装置では、導水管１内の円割形ネット２Ｂに対応する側（下半部側）を流れる異物混じりの海水Ｗ１は、そのまま直進して該円割形ネット２Ｂで濾過される。他方、導水管１内の上半部側を流れる海水Ｗ２の大部分は、邪魔板９が抵抗となって下方に変向せしめられた後、円割形ネット２Ｂで濾過される。従って、邪魔板９を設けると、円割形ネット２Ｂを１枚だけ使用したもの（導水管１内の上半部が無ネット部である）であっても、該１枚の円割形ネット２Ｂで効率よく異物を捕獲できる。
【００４３】
図６の第４実施形態では、１枚のネット２を導水管１の口径面積の全面に亘って設置している。この場合、ネット２が大面積であるとその曲率半径を長くする必要があり、それに伴って洗浄管３の長さを長くする必要があることから、この第４実施形態のものでは、上記第１〜第３実施形態のものに比較して適応できる導水管１の口径は小さくなる。尚、その他の基本構成は、第１実施形態のものと同様である。
【００４４】
尚、本願各実施形態の異物除去装置は、既設の導水管１内にも設置することができる。
【発明の効果】
【００４５】
本願請求項１の発明では、導水管１内の流水Ｗ０中に浮遊する異物Ａがネット（２，２Ａ，２Ｂ）に付着しても、洗浄管３により、導水管１内の冷却水流れを停止することなく、該付着異物Ａを清掃できるので、運転効率が向上するという効果がある。特に、例えば原子力発電所のように、運転を中断することが困難な設備においては、一層顕著な効果を発揮する。又、洗浄管先端開口３０がネット凹球面２１の全面に亘ってしかも該凹球面２１から微小等間隔を隔てた位置を走査するので、少量の排水であっても逆洗流速を十分に確保でき、それによってネットに付着した異物Ａをネット全面に亘って確実且つ効率よく除去できるという効果がある。
【００４６】
又、本願請求項２の異物除去装置では、ネットとして１枚の円割形ネット２Ｂのみを使用したものであっても、その上流側に邪魔板９を設置しているので、導水管１内の反ネット側を流れる異物混じりの冷却水をネット側に変向させることができ、簡単な構成（邪魔板９）の付加のみで、効率よく異物Ａを除去できるという効果がある。
【図面の簡単な説明】
【図１】  本願第１実施形態の異物除去装置の断面図である。
【図２】  図１の平面図である。
【図３】  図１のIII−III断面図である。
【図４】  本願第２実施形態の異物除去装置の概略断面図である。
【図５】  本願第３実施形態の異物除去装置の概略断面図である。
【図６】  本願第４実施形態の異物除去装置の概略断面図である。
【図７】  発電設備の概略図である。
【図８】  従来の異物除去装置の一例の断面図である。
【符号の説明】
１は導水管、２はネット、２Ａ，２Ｂは円割形ネット、３は洗浄管、４は球形軸受、６は上下駆動装置、７は左右駆動装置、８は差圧計、９は邪魔板、２１は凹球面、３０は先端開口、Ａは異物、Ｗは冷却水、Ｐはネット曲率半径の中心位置である。
【図１】
0004026902.tif 000002
【図２】
0004026902.tif 000003
【図３】
0004026902.tif 000004
【図４】
0004026902.tif 000005
【図５】
0004026902.tif 000006
【図６】
0004026902.tif 000007
【図７】
0004026902.tif 000008
【図８】
0004026902.tif 000009